(57)【要約】      （修正有）【課題】変形組み立て棚を提供する。【解決手段】両縦柱１０であって、当該両縦柱の一側面に凹溝１１が形成され、また多くの連接棒セット２０が当該両縦柱の間に接続され、当該連接棒セットにそれぞれ第一連接棒２１及び第二連接棒２２があり、当該第一、二連接棒にはそれぞれ第一端２１１、２２１を有し、また第一端は当該両縦柱の当該凹溝に枢着されており、当該第一、二連接棒にそれぞれ第二端２１２、２２２を有し、また第二端に枢着部２３が設置され、また当該枢着部を通じて一体に枢着されており、そのなかで、当該連接棒セットの第一連接棒と当該第二連接棒は所定方向に向けて当該両縦柱の内壁面１１に近い収納位置まで揺れ動くことができ、または当該両縦柱の内壁面と相互に垂直する展開位置まで揺れ動き、それにより当該変形組み立て棚は棒体に収納され、または使用状態に展開される。【選択図】図２
0003220397.tif 000002
【実用新案登録請求の範囲】
【請求項１】
変形組み立て棚であって、
両縦柱であって、当該両縦柱にそれぞれC形断図を有し、当該両縦柱の一側面に凹溝が形成され、また当該両縦柱の当該凹溝は互いに対向する両縦柱と、
当該両縦柱の当該凹溝の内側面に内壁面が形成され、また当該内壁面の両側に接続される側壁面と、
多くの連接棒セットであって、当該連接棒セットは当該両縦柱の間に接続されており、当該連接棒セットはそれぞれ第一連接棒及び第二連接棒を有し、そのなかで当該第一連接棒と当該第二連接棒の両端にそれぞれ第一端及び第二端を有し、当該第一連接棒と第二連接棒の第一端はそれぞれ当該両縦柱の当該凹溝のなかに枢着され、当該第一連接棒と当該第二連接棒の当該第二端はそれぞれ枢着部を有し、また当該枢着部を通じて一体に枢着されている；そのなかで、当該連接棒セットの第一連接棒と当該第二連接棒は当該両縦柱の内壁面に近い収納位置まで所定方向に向けて揺れ動くことができ、または当該両縦柱の内壁面と相互に垂直する展開位置まで揺れ動くことができ、当該第一連接棒と第二連接棒が当該収納位置に揺れ動く時、当該第一連接棒と第二連接棒が相互に近寄り、また当該両縦柱の凹溝に収納され、当該第一連接棒と第二連接棒が当該展開位置まで揺れ動く時、当該第一連接棒と当該第二連接棒の第一端の端面が当該両縦柱の内側壁と相互に係合し、また当該第一連接棒と当該第二連接棒の第二端の端面が相互に係合し、それにより当該第一連接棒と第二連接棒を当該展開位置に位置決めする、多くの連接棒セットと
を含むことを特徴とする変形組み立て棚。
【請求項２】
当該連接棒セットの第一連接棒と当該第二連接棒にはそれぞれ上側板及び当該上側板両側に接続されている第一側板体と第二側板体を有し、そのなかで当該枢着部はそれぞれ当該第一棒体と第二棒体の第一側板と第二側板の当該第二端に近い位置に設置されている；当該第一棒体と第二棒体の第一側板と第二側板の間隔は同じく、当該第一棒体は当該第一側板と当該第二棒体の第二側板に相応し、また当該第一棒体の第二側板と当該第二連接棒の第一側板が対向する形で一体に枢着されている；当該第二側板の中心には収容溝を有し、当該収容溝の幅は当該第一側板の幅よりやや大きく、従ってそれにより当該第一連接棒と当該第二連接棒が相互に近寄る時に、当該第一連接棒の第一側板は当該第二連接棒の当該第二側板の中心の収容溝に収容されることができ、また当該第二連接棒の当該第一側板は当該第一連接棒の当該第二側板の当該収容溝に収容されることができることを特徴とする請求項1に記載の変形組み立て棚。
【請求項３】
当該連接棒セットの第一連接棒と第二連接棒が当該収納位置に揺れ動く状態のもとで、当該第一連接棒と当該第二連接棒はそれぞれ当該両縦柱の凹溝に収容されることができ、また当該第一連接棒と第二連接棒は相互に近寄ることができ、棒状体に收納されることを特徴とする請求項2に記載の変形組み立て棚。
【請求項４】
当該第一連接棒及び当該第二連接棒の第一端はボルトにより当該両縦柱に枢着され、また当該第一連接棒及び当該第二連接棒の第一端にそれぞれ当該ボルトを中心とする円弧状面取りが設置され、それにより当該第一連接棒と当該第二連接棒が当該円弧状面取りの方向に向けて揺れ動く時に、当該第一連接棒と第二連接棒の当該第一端は当該縦柱の内壁面と干渉しないことを特徴とする請求項3に記載の変形組み立て棚。
【請求項５】
当該両縦柱の底端にそれぞれ伸長式エンドキャップを被せることができ、それにより当該両縦柱の長さを調整することができることを特徴とする請求項4に記載の変形組み立て棚。
【請求項６】
当該両縦柱の当該凹溝の側壁面における前端開口部の近くにそれぞれ係合溝が設置され、また当該両縦柱の外側面における前端に近い位置に二つの係合凸部が設置され、当該縦柱の当該両側壁面の幅と当該縦柱両外側面における前端に近い位置の幅とが一致し、また当該両係合凸部と当該両係合溝は互いに対応するオス・メスの係合構造であるので、それにより当該縦柱は当該両係合凸部と別の当該縦柱の当該両係合溝が相互に係合することにより、両縦柱が首尾良くつながっているという目的を達成することができることを特徴とする請求項5に記載の変形組み立て棚。
【請求項７】
当該両縦柱の内側面と外側面に多くのT形係合溝が設置されていることを特徴とする請求項6に記載の変形組み立て棚。
【請求項８】
変形組み立て棚ははしごに組み立てられることを特徴とする請求項7に記載の変形組み立て棚。
【考案の詳細な説明】
【技術分野】
【０００１】
本考案は変形組み立て棚に関するのであって、特に折り畳み式はしご、折り畳み式物干し掛けなどのタイプの折り畳み式家具という、主要構造体に使用される変形組み立て棚である。
【背景技術】
【０００２】
現在、市販の物置棚、はしご、物干し掛け、ベンチなどのタイプの家具は支持構造物として通常、アルミフレーム、プラスチック製骨組みまたは木製骨組みを採用するが、当該タイプの家具または普通金属の骨組・構造はいずれも分解できない構造であるので、従って使用しない時には相当多くのスペースを占める。
【０００３】
一部の家具は分解できるが、分解後にまた組み立て直す時、組立ての手順は相当に煩雑であるため、再分解・組立することがきわめて困難となり、使用者の購入意欲に影響する。
【０００４】
このほか、例えば折り畳み式の机、または折り畳み式はしごなど一部の家具は折り畳み式の機能を持っているが、それを展開した後の組立の形が固定しており、組立の形を変えることができなく、従ってその用途が制限される。
【０００５】
以上の原因により、既存の家具の骨組・構造の使用において様々な不便がもたらされ、従って如何に構造の設計を通じて上記の欠陥を克服するかは、当該項の事業の解決しようとする重要な課題の一つとなる。
【考案の概要】
【考案が解決しようとする課題】
【０００６】
本考案の主な目的は迅速に収納しまたは展開することができ、使用が便利で、また多種類の家具の支持構造物とすることができる変形組み立て棚を提供することにある。
【０００７】
本考案の実施例は変形組み立て棚を提供することであり、それは下記のものが含まれている：両縦柱であって、当該両縦柱にそれぞれC形断図を有し、当該両縦柱の一側面に凹溝が形成され、また当該両縦柱の当該凹溝は互いに対向する；側壁面であって、当該両縦柱の当該凹溝の内側面に内壁面が形成され、また当該内壁面の両側に接続される；及び多くの連接棒セットであって、当該連接棒セットは当該両縦柱の間に接続されており、当該連接棒セットはそれぞれ第一連接棒及び第二連接棒を有し、そのなかで当該第一連接棒と当該第二連接棒の両端にそれぞれ第一端及び第二端を有し、当該第一連接棒と第二連接棒の第一端はそれぞれ当該両縦柱の当該凹溝のなかに枢着され、当該第一連接棒と当該第二連接棒の当該第二端はそれぞれ枢着部を有し、また当該枢着部を通じて一体に枢着されている；そのなかで、当該連接棒セットの第一連接棒と当該第二連接棒は当該両縦柱の内壁面に近い収納位置まで所定方向に向けて揺れ動くことができ、または当該両縦柱の内壁面と相互に垂直する展開位置まで揺れ動くことができ、当該第一連接棒と第二連接棒が当該収納位置に揺れ動く時、当該第一連接棒と第二連接棒が相互に近寄り、また当該両縦柱の凹溝に収納され、当該第一連接棒と第二連接棒が当該展開位置まで揺れ動く時、当該第一連接棒と当該第二連接棒の第一端の端面が当該両縦柱の内側壁と相互に係合し、また当該第一連接棒と当該第二連接棒の第二端の端面が相互に係合し、それにより当該第一連接棒と第二連接棒を当該展開位置に位置決めする。
【０００８】
本考案の好適な実施例において、当該連接棒セットの第一連接棒と当該第二連接棒にはそれぞれ上側板及び当該上側板両側に接続されている第一側板体と第二側板体を有し、そのなかで当該枢着部はそれぞれ当該第一棒体と第二棒体の第一側板と第二側板の当該第二端に近い位置に設置されている；当該第一棒体と第二棒体の第一側板と第二側板の間隔は同じく、当該第一棒体は当該第一側板と当該第二棒体の第二側板に相応し、また当該第一棒体の第二側板と当該第二連接棒の第一側板が対向する形で一体に枢着されている；当該第二側板の中心には収容溝を有し、当該収容溝の幅は当該第一側板の幅よりやや大きく、従ってそれにより当該第一連接棒と当該第二連接棒が相互に近寄る時に、当該第一連接棒の第一側板は当該第二連接棒の当該第二側板の中心の収容溝に収容されることができ、また当該第二連接棒の当該第一側板は当該第一連接棒の当該第二側板の当該収容溝に収容されることができる。
【０００９】
本考案の好適な実施例において、当該連接棒セットの第一連接棒と第二連接棒が当該収納位置に揺れ動く状態のもとで、当該第一連接棒と当該第二連接棒はそれぞれ当該両縦柱の凹溝に収容されることができ、また当該第一連接棒と第二連接棒は相互に近寄ることができ、棒状体に收納される。
【００１０】
本考案の好適な実施例において、当該第一連接棒及び当該第二連接棒の第一端はボルトにより当該両縦柱に枢着され、また当該第一連接棒及び当該第二連接棒の第一端にそれぞれ当該ボルトを中心とする円弧状面取りが設置され、それにより当該第一連接棒と当該第二連接棒が当該円弧状面取りの方向に向けて揺れ動く時に、当該第一連接棒と第二連接棒の当該第一端は当該縦柱の内壁面と干渉しない。
【００１１】
本考案の好適な実施例において、当該両縦柱の底端にそれぞれ伸長式エンドキャップを被せることができ、それにより当該両縦柱の長さを調整することができる。
【００１２】
本考案の好適な実施例において、当該両縦柱の当該凹溝の側壁面の前端開口部の近くにそれぞれ係合溝が設置され、また於当該両縦柱の外側面の前端に近い位置に二つの係合凸部が設置され、当該縦柱の当該両側壁面の幅と当該縦柱の両外側面の前端に近い位置の幅とが一致し、また当該両係合凸部と当該両係合溝は互いに対応するオス・メスの係合構造であり、それにより当該縦柱は当該両係合凸部と別の当該縦柱の当該両係合溝が相互に係合することにより、両縦柱が首尾良くつながっているという目的を達成することができる。
【００１３】
本考案の好適な実施例において、当該両縦柱の内側面と外側面に多くのT形係合溝が設置されている。
【００１４】
本考案の好適な実施例において、変形組み立て棚ははしごに組み立てられる。
【００１５】
本考案の有益な効果は当該変形組み立て棚は迅速に収納しまたは展開することができることにあり、使用上迅速かつ便利で、また収納後に体積がとても小さく、携帯・収納に便利だし、また運用の変化ができ、多くの家具または普通金属の骨組みとして、その機能の変化が多い。
【００１６】
本考案の特色及び技術内容をさらに理解してもらうために、以下、本考案に関する詳しい説明と付属図面を参照してください。しかし付属図面は参考や説明として提供するにすぎず、本考案を制限するものではない。
【図面の簡単な説明】
【００１７】
【図１】は本考案の変形組み立て棚の立体組立図である。
【図２】は本考案の変形組み立て棚の部分立体分解図である。
【図３】は本考案の変形組み立て棚の展開状態の正面図である。
【図４】及び
【図５】はそれぞれ本考案の変形組み立て棚の収納過程及び完全に収納した状態を示す正面図である。
【図６】は本考案において使用する連接棒セットの変形実施例の断面図である。
【図７】は本考案において使用する連接棒セットの別の変形実施例の断面図である。
【図８】は本考案において使用する縦柱の別の変形実施例の組立断面図である。
【考案を実施するための形態】
【００１８】
図1から図3に示すように、本考案の変形組み立て棚1は主に両縦柱10及び両縦柱10の間に接続されている多くの連接棒セット20により構成されている。本考案の変形組み立て棚1は収納しやすく、且つ多種類の変形組立の形を示し、また多種類の家具または普通金属工具の構造体として応用される。
【００１９】
図1及び図2に示すように、本考案の変形組み立て棚1において両縦柱10はそれぞれC形断図を有し、当該両縦柱10の一側面に凹溝11が形成され、また当該両縦柱10は当該両凹溝11の開口が互いに対向するように配置されている。当該両縦柱10の当該凹溝11の内側面に内壁面111が形成されており、また当該内壁面111両側に接続される側壁面112が形成されている。
【００２０】
図2及び図3に示すように、当該連接棒セット20は当該両縦柱10の間に接続され、当該連接棒セット20にそれぞれ第一連接棒21及び第二連接棒22を有し、そのなかで当該第一連接棒21と当該第二連接棒22の両端にそれぞれ第一端211、221及び第二端212、222を有し、当該第一連接棒21と第二連接棒22の第一端211、221がそれぞれ当該両縦柱10の凹溝11に枢着し、当該第一連接棒21と当該第二連接棒22の当該第二端212、222にそれぞれ枢着部23を有し、また当該枢着部23を通じて当該第一連接棒21と第二連接棒22が一体に枢着されている。
【００２１】
図3から図5に示すように、当該実施例の両縦柱10の底端にさらに伸縮できる伸長式エンドキャップ15が設置され、それにより当該両縦柱10の長さを変化させることができる。当該変形組み立て棚1が使用される状態のもとでは、当該両縦柱10は相互に平行しまた交差せず、同時に当該両縦柱10の間に接続している連接棒セット20は直線状に形成され、また両縦柱10とほぼ垂直で、従って井字状の骨組みが組み立てられ、また当該連接棒セット20の第一連接棒21と第二連接棒22は相互に折り曲げることができ、それにより両縦柱10は相互に近寄り、それにより当該変形組み立て棚1は収納することができる。当該実施例の変形組み立て棚1ははしごとして、足場を組み立て、または物干し掛けなどの用途とすることができる。
【００２２】
図3に示すように、当該変形組み立て棚1が展開され使用状態になる時、当該連接棒セット20の第一連接棒21と第二連接棒22は展開位置まで揺れ動くことができ、当該第一連接棒21と第二連接棒22が展開位置まで揺れ動く時、当該第一連接棒21と第二連接棒22は当該両縦柱10と垂直になり、また直線状に配列する。この状態のもとで、第一連接棒21と第二連接棒22の第一端211、221の端面は当該両縦柱10の内壁面111の内側に密接し、また当該第一連接棒21と第二連接棒22の第二端212、222の端面の相互に密接し、それにより当該第一連接棒21と第二連接棒22は相互水平に配列する当該展開位置まで揺れ動いた後、係止することにより引き続き揺れ動くことができなくなり、当該展開位置に位置決めされる。
【００２３】
図4に示すように、当該第一連接棒21と第二連接棒22の第一端211、221はリベットまたはボルト27により両縦柱10に枢着され、また当該第一連接棒21と第二連接棒22の第一端211、221の側辺に円弧状面取り24が設置され、当該円弧状面取り24は当該第一端211、221が縦柱10に接続されるボルト27またはリベットの中心と同じ軸心を有し、従ってそれにより当該第一連接棒21と第二連接棒22は当該円弧状面取り24の中心を円心に揺れ動くことができ、また第一連接棒21と第二連接棒22が当該円弧状面取り24の方向に向けて揺れ動く時、当該第一連接棒21と第二連接棒22の第一端211は縦柱10の内壁面111と干渉することを避けることができる。第一連接棒21と第二連接棒22が両縦柱10へ近づく方向に揺れ動く時、当該両縦柱10の間隔もそれに伴って縮小する。
【００２４】
図5に示すように、当該第一連接棒21と第二連接棒22が両縦柱10へ近づく方向へ揺れ動く時、最終的に収納位置に達し、当該第一連接棒21と第二連接棒22が当該収納位置まで揺れ動く時、当該第一連接棒21と第二連接棒22は両縦柱10と近寄ることができ、また当該第一連接棒21と第二連接棒22も互いに近寄る。
【００２５】
図2に示すように、当該実施例において、第一連接棒21と当該第二連接棒22の両側辺にそれぞれ第一側板25と第二側板26を有し、そのなかで当該枢着部23はそれぞれ当該第一連接棒21と第二連接棒22の第一側板25と第二側板26の当該第二端212、222に近い位置に設置されている；当該第一連接棒21と第二連接棒22の第一側板25と第二側板26の間隔は同じく、第一連接棒21と第二連接棒22が一体に枢着されている時、当該第一連接棒21の第一側板25と当該第二連接棒22の第二側板26が互いに対応し、また当該第一連接棒21の第二側板26と当該第二連接棒22の第一側板25が互いに対応し、且つ相互に枢着している。
【００２６】
当該第二側板26の中心に収容溝261を有し、当該収容溝261の幅は当該第一側板25の幅よりやや大きく、それにより当該第一連接棒21と当該第二連接棒22が相互に近寄る時、当該第一連接棒21の第一側板25は当該第二連接棒22の当該第二側板26の中心の収容溝261に収容することができ、また当該第二連接棒22の当該第一側板25は当該第一連接棒21の当該第二側板26の当該収容溝261に収容することができる。上述の設計を通じて、各個の連接棒セット20の第一連接棒21と第二連接棒22が相互に近寄る時、全体の厚さは低下することができ、本考案の変形組み立て棚1が収納された状態のサイズと厚さを減少させることができる。
【００２７】
図5に示すように、本考案は第一連接棒21と第二連接棒22の厚さを、当該両縦柱10の凹溝11に収容されることができるように設計しているので、それにより当該連接棒セット20が収納位置に揺れ動く時、当該第一連接棒21と第二連接棒22が近寄りまた両縦柱10の凹溝11に収納し、また両縦柱10も相互に近寄り、従ってそれにより本考案の変形組み立て棚1は棒体となるように収納し、それにより收納及び運送が便利となる。
【００２８】
図6に示すのは本考案が採用する第一連接棒21と第二連接棒22の別の変形実施例の構造であり、当該第一連接棒21と第二連接棒22の頂面は斜面を呈し、また頂面の上に波浪状の凹溝が設置されており、上述の設計を通じて、本考案の変形組み立て棚1ははしごとして使用する場合、当該第一連接棒21と第二連接棒22は使用者が踏むのに適する構造となることができる。同時に当該第一側板25及び第二側板26の接続部に穿孔が設置され、リベットにより当該第一連接棒21と第二連接棒22が一体に枢着されるようにすることができる。
【００２９】
図7に示すのは本考案の第一連接棒21及び第二連接棒22の別の変形実施例であり、第一連接棒21と第二連接棒22の第一側板25の中央にスリット251が形成され、またスリット251の開口の両側辺にそれぞれ係合溝252が形成される。第二側板26の中央に収容溝261が形成され、それにより第一側板25を収容する。また、第一連接棒21及び第二連接棒22の内側面にさらにT形係合溝253が設置される。
【００３０】
図8に示すのは本考案が採用する別の構造の縦柱10の実施例であり、当該実施例において、縦柱の凹溝11の側壁面112の前端開口部の近くにそれぞれ係合溝13が設置され、また縦柱10の両外側面の前端位置の近くに両係合凸部12が設置され、当該縦柱10の両側の壁面112の幅と縦柱の両外側面の前端位置の近くの幅が一致し、また当該両係合凸部12と両係合溝13は互いに対応するオス・メスの係合構造であり、それにより当該縦柱10は両係合凸部12と別の縦柱10の両係合溝13が相互に係合し合うことにより、両縦柱10が首尾よくつながるという目的を達成することができる。例えば図11に示すのは、図10に示すような構造を有する、縦柱10により構成されている変形組み立て棚1であり、上述の構造を通じて、変形組み立て棚1の縦柱10は別の変形組み立て棚1の縦柱10と接続し合い、それにより当該変形組み立て棚1は伸びることができる。
【００３１】
このほか、当該両縦柱10の両側辺の内側と外側にそれぞれ多くのT形係合溝14が設置されており、当該T形係合溝14はその他の付属品と係合(例えば：カバープレート)し、それにより当該両縦柱10の構造変化をもたらす。
【００３２】
本考案の有益な効果としては、本考案において採用した変形組み立て棚1の設計は携帯しやすいように気楽に収納できるということである。それと同時に本考案の変形組み立て棚1を利用してはしごなどの家具または普通金属工具の構造を製作し、それによりもっと多樣な機能を持つようにする。
【００３３】
以上述べたのは本考案の好適な実行可能な実施例にすぎず、従って本考案の特許請求の範囲を制限するのではないので、本考案の説明書及び図面の内容を運用して行なったことによる技術変化はすべて本考案の保護範囲内に含まれている。
【符号の説明】
【００３４】
1・・・変形組み立て棚
10・・・縦柱
11・・・凹溝
111・・・内壁面
112・・・側壁面
12・・・係合凸部
13・・・係合溝
14・・・T形係合溝
15・・・伸長式エンドキャップ
20・・・連接棒セット
21・・・第一連接棒
211・・・第一端
212・・・第二端
22・・・第二連接棒
221・・・第一端
222・・・第二端
23・・・枢着部
24・・・円弧状面取り
25・・・第一側板
251・・・スリット
252・・・係合溝
253・・・T形係合溝
26・・・第二側板
261・・・収容溝
27・・・ボルト
【図１】
0003220397.tif 000003
【図２】
0003220397.tif 000004
【図３】
0003220397.tif 000005
【図４】
0003220397.tif 000006
【図５】
0003220397.tif 000007
【図６】
0003220397.tif 000008
【図７】
0003220397.tif 000009
【図８】
0003220397.tif 000010
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
変形組み立て棚であって、
両縦柱であって、当該両縦柱にそれぞれC形断面を有し、当該両縦柱の一側面に凹溝が形成され、また当該両縦柱の当該凹溝は互いに対向する両縦柱と、
当該両縦柱の当該凹溝の内側面に内壁面が形成され、また当該内壁面の両側に接続される側壁面と、
多くの連接棒セットであって、当該連接棒セットは当該両縦柱の間に接続されており、当該連接棒セットはそれぞれ第一連接棒及び第二連接棒を有し、そのなかで当該第一連接棒と当該第二連接棒の両端にそれぞれ第一端及び第二端を有し、当該第一連接棒と第二連接棒の第一端はそれぞれ当該両縦柱の当該凹溝のなかに枢着され、当該第一連接棒と当該第二連接棒の当該第二端はそれぞれ枢着部を有し、また当該枢着部を通じて一体に枢着されており、そのなかで、当該連接棒セットの第一連接棒と当該第二連接棒は当該両縦柱の内壁面に近い収納位置まで所定方向に向けて揺れ動くことができ、または当該両縦柱の内壁面と相互に垂直する展開位置まで揺れ動くことができ、当該第一連接棒と第二連接棒が当該収納位置に揺れ動く時、当該第一連接棒と第二連接棒が相互に近寄り、また当該両縦柱の凹溝に収納され、当該第一連接棒と第二連接棒が当該展開位置まで揺れ動く時、当該第一連接棒と当該第二連接棒の第一端の端面が当該両縦柱の内側壁と相互に係合し、また当該第一連接棒と当該第二連接棒の第二端の端面が相互に係合し、それにより当該第一連接棒と第二連接棒を当該展開位置に位置決めする、多くの連接棒セットと
を含むことを特徴とする変形組み立て棚。
【請求項２】
当該連接棒セットの第一連接棒と当該第二連接棒にはそれぞれ上側板及び当該上側板両側に接続されている第一側板体と第二側板体を有し、そのなかで当該枢着部はそれぞれ当該第一連接棒と第二連接棒の第一側板と第二側板の当該第二端に近い位置に設置されており、当該第一連接棒と第二連接棒の第一側板と第二側板の間隔は同じく、当該第一連接棒の当該第一側板は、当該第二連接棒の当該第二側板に相応し、また当該第一連接棒の第二側板と当該第二連接棒の第一側板が対向する形で一体に枢着されており、当該第二側板の中心には収容溝を有し、当該収容溝の幅は当該第一側板の幅よりやや大きく、従ってそれにより当該第一連接棒と当該第二連接棒が相互に近寄る時に、当該第一連接棒の第一側板は当該第二連接棒の当該第二側板の中心の収容溝に収容されることができ、また当該第二連接棒の当該第一側板は当該第一連接棒の当該第二側板の当該収容溝に収容されることができることを特徴とする請求項1に記載の変形組み立て棚。
【請求項３】
当該連接棒セットの第一連接棒と第二連接棒が当該収納位置に揺れ動く状態のもとで、当該第一連接棒と当該第二連接棒はそれぞれ当該両縦柱の凹溝に収容されることができ、また当該第一連接棒と第二連接棒は相互に近寄ることができ、棒状体に收納されることを特徴とする請求項2に記載の変形組み立て棚。
【請求項４】
当該第一連接棒及び当該第二連接棒の第一端はボルトにより当該両縦柱に枢着され、また当該第一連接棒及び当該第二連接棒の第一端にそれぞれ当該ボルトを中心とする円弧状面取りが設置され、それにより当該第一連接棒と当該第二連接棒が当該円弧状面取りの方向に向けて揺れ動く時に、当該第一連接棒と第二連接棒の当該第一端は当該縦柱の内壁面と干渉しないことを特徴とする請求項3に記載の変形組み立て棚。
【請求項５】
当該両縦柱の底端にそれぞれ伸長式エンドキャップを被せることができ、それにより当該両縦柱の長さを調整することができることを特徴とする請求項4に記載の変形組み立て棚。
【請求項６】
当該両縦柱の当該凹溝の側壁面における前端開口部の近くにそれぞれ係合溝が設置され、また当該両縦柱の外側面における前端に近い位置に二つの係合凸部が設置され、当該縦柱の当該両側壁面の幅と当該両縦柱の外側面における前端に近い位置の幅とが一致し、また当該両係合凸部と当該両係合溝は互いに対応するオス・メスの係合構造であるので、それにより当該縦柱は当該両係合凸部と別の当該縦柱の当該両係合溝が相互に係合することにより、両縦柱が首尾良くつながっているという目的を達成することができることを特徴とする請求項5に記載の変形組み立て棚。
【請求項７】
当該両縦柱の内側面と外側面に多くのT形係合溝が設置されていることを特徴とする請求項6に記載の変形組み立て棚。
【請求項８】
変形組み立て棚ははしごに組み立てられることを特徴とする請求項7に記載の変形組み立て棚。
【手続補正２】
【補正対象書類名】明細書
【補正対象項目名】０００７
【補正方法】変更
【補正の内容】
【０００７】
本発明の実施例は変形組み立て棚を提供することであり、それは下記のものが含まれている：両縦柱であって、当該両縦柱にそれぞれC形断面を有し、当該両縦柱の一側面に凹溝が形成され、また当該両縦柱の当該凹溝は互いに対向する；側壁面であって、当該両縦柱の当該凹溝の内側面に内壁面が形成され、また当該内壁面の両側に接続される；及び多くの連接棒セットであって、当該連接棒セットは当該両縦柱の間に接続されており、当該連接棒セットはそれぞれ第一連接棒及び第二連接棒を有し、そのなかで当該第一連接棒と当該第二連接棒の両端にそれぞれ第一端及び第二端を有し、当該第一連接棒と第二連接棒の第一端はそれぞれ当該両縦柱の当該凹溝のなかに枢着され、当該第一連接棒と当該第二連接棒の当該第二端はそれぞれ枢着部を有し、また当該枢着部を通じて一体に枢着されており、そのなかで、当該連接棒セットの第一連接棒と当該第二連接棒は当該両縦柱の内壁面に近い収納位置まで所定方向に向けて揺れ動くことができ、または当該両縦柱の内壁面と相互に垂直する展開位置まで揺れ動くことができ、当該第一連接棒と第二連接棒が当該収納位置に揺れ動く時、当該第一連接棒と第二連接棒が相互に近寄り、また当該両縦柱の凹溝に収納され、当該第一連接棒と第二連接棒が当該展開位置まで揺れ動く時、当該第一連接棒と当該第二連接棒の第一端の端面が当該両縦柱の内側壁と相互に係合し、また当該第一連接棒と当該第二連接棒の第二端の端面が相互に係合し、それにより当該第一連接棒と第二連接棒を当該展開位置に位置決めする。
【手続補正３】
【補正対象書類名】明細書
【補正対象項目名】０００８
【補正方法】変更
【補正の内容】
【０００８】
本発明の好適な実施例において、当該連接棒セットの第一連接棒と当該第二連接棒にはそれぞれ上側板及び当該上側板両側に接続されている第一側板体と第二側板体を有し、そのなかで当該枢着部はそれぞれ当該第一連接棒と第二連接棒の第一側板と第二側板の当該第二端に近い位置に設置されており、当該第一連接棒と第二連接棒の第一側板と第二側板の間隔は同じく、当該第一連接棒の当該第一側板は、当該第二連接棒の当該第二側板に相応し、また当該第一連接棒の第二側板と当該第二連接棒の第一側板が対向する形で一体に枢着されており、当該第二側板の中心には収容溝を有し、当該収容溝の幅は当該第一側板の幅よりやや大きく、従ってそれにより当該第一連接棒と当該第二連接棒が相互に近寄る時に、当該第一連接棒の第一側板は当該第二連接棒の当該第二側板の中心の収容溝に収容されることができ、また当該第二連接棒の当該第一側板は当該第一連接棒の当該第二側板の当該収容溝に収容されることができる。
【手続補正４】
【補正対象書類名】明細書
【補正対象項目名】００１２
【補正方法】変更
【補正の内容】
【００１２】
本発明の好適な実施例において、当該両縦柱の当該凹溝の側壁面の前端開口部の近くにそれぞれ係合溝が設置され、また於当該両縦柱の外側面の前端に近い位置に二つの係合凸部が設置され、当該縦柱の当該両側壁面の幅と当該両縦柱の外側面の前端に近い位置の幅とが一致し、また当該両係合凸部と当該両係合溝は互いに対応するオス・メスの係合構造であり、それにより当該縦柱は当該両係合凸部と別の当該縦柱の当該両係合溝が相互に係合することにより、両縦柱が首尾良くつながっているという目的を達成することができる。
【手続補正５】
【補正対象書類名】明細書
【補正対象項目名】００１９
【補正方法】変更
【補正の内容】
【００１９】
図1及び図2に示すように、本発明の変形組み立て棚1において両縦柱10はそれぞれC形断面を有し、当該両縦柱10の一側面に凹溝11が形成され、また当該両縦柱10は当該両凹溝11の開口が互いに対向するように配置されている。当該両縦柱10の当該凹溝11の内側面に内壁面111が形成されており、また当該内壁面111両側に接続される側壁面112が形成されている。
【手続補正６】
【補正対象書類名】明細書
【補正対象項目名】００２５
【補正方法】変更
【補正の内容】
【００２５】
図2に示すように、当該実施例において、第一連接棒21と当該第二連接棒22の両側辺にそれぞれ第一側板25と第二側板26を有し、そのなかで当該枢着部23はそれぞれ当該第一連接棒21と第二連接棒22の第一側板25と第二側板26の当該第二端212、222に近い位置に設置されており、当該第一連接棒21と第二連接棒22の第一側板25と第二側板26の間隔は同じく、第一連接棒21と第二連接棒22が一体に枢着されている時、当該第一連接棒21の第一側板25と当該第二連接棒22の第二側板26が互いに対応し、また当該第一連接棒21の第二側板26と当該第二連接棒22の第一側板25が互いに対応し、且つ相互に枢着している。
【手続補正７】
【補正対象書類名】明細書
【補正対象項目名】００２７
【補正方法】変更
【補正の内容】
【００２７】
図5に示すように、本発明は第一連接棒21と第二連接棒22の厚さを、当該両縦柱10の凹溝11に収容されることができるように設計しているので、それにより当該連接棒セット20が収納位置に揺れ動く時、当該第一連接棒21と第二連接棒22が近寄りまた両縦柱10の凹溝11に収納し、また両縦柱10も相互に近寄り、従ってそれにより本発明の変形組み立て棚1は連接棒となるように収納し、それにより收納及び運送が便利となる。